(57)【要約】【課題】再加熱用の熱交換器又は電熱器等の熱源を浴槽に対応して持つことなく浴槽湯を目標湯温に保つことを可能とする。【解決手段】浴槽湯温検知手段４が浴槽２の湯温を検知し、浴槽湯量検知手段５が浴槽２の湯量を検知し、給湯湯温検知手段３が貯湯槽１の給湯湯温を検知し、給湯湯量計算手段６が検知された浴槽２の湯温の情報と浴槽２の湯量の情報と貯湯層１の給湯湯温の情報とに基づいて、目標とする浴槽湯温にするために浴槽２に給湯する湯量を算出し、廃棄手段７が算出された量の湯を浴槽２から廃棄し、給湯手段８が算出された量の湯を貯湯槽１から浴槽２へ給湯する。【選択図】図１
2005164167.tif 000002
【特許請求の範囲】
【請求項１】
浴槽の湯温を制御する浴槽湯温制御装置であって、
前記浴槽の湯温を検知する浴槽湯温検知手段と、
前記浴槽の湯量を検知する浴槽湯量検知手段と、
予め生成された湯が貯湯された貯湯槽から前記浴槽内へ給湯される湯温を検知する給湯湯温検知手段と、
前記検知された浴槽湯温の情報と浴槽湯量の情報と給湯湯温の情報とに基づいて、浴槽湯温を目標値にするために前記浴槽に給湯する湯量を計算する給湯湯量計算手段と、
前記浴槽から前記計算された湯量の湯を廃棄する廃棄手段と、
前記貯湯槽から前記浴槽内へ前記計算された湯量の湯を給湯する給湯手段とを備える
ことを特徴とする浴槽湯温制御装置。
【請求項２】
請求項１に記載の浴槽湯温制御装置であって、
前記予め生成され貯湯槽に貯湯された湯は、夜間電力を用いた加熱により生成された湯である
ことを特徴とする浴槽湯温制御装置。
【請求項３】
浴槽内に給湯する給湯器であって、
請求項１または請求項２に記載の浴槽湯温制御装置を備える給湯器。
【請求項４】
１または複数個の浴槽の湯温を制御して目標値に保つ浴槽湯保温システムであって、
予め生成された湯が貯湯される貯湯槽と、
前記１または複数個の浴槽の湯温を検知する浴槽湯温検知手段と、
前記１または複数個の浴槽の湯量を検知する浴槽湯量検知手段と、
前記貯湯槽から前記１または複数個の浴槽内へ給湯される湯温を検知する給湯湯温検知手段と、
前記検知された浴槽湯温の情報と浴槽湯量の情報と給湯湯温の情報とに基づいて、前記１または複数個の浴槽の湯温を目標値にするために前記１または複数個の浴槽に給湯する湯量を計算する給湯湯量計算手段と、
前記１または複数個の浴槽から前記計算された湯量の湯を廃棄する廃棄手段と、
前記貯湯槽から前記１または複数個の浴槽内へ前記計算された湯量の湯を給湯する給湯手段とを備え、
前記廃棄された湯を貯湯する
ことを特徴とする浴槽湯保温システム。
【請求項５】
請求項４に記載の浴槽湯保温システムであって、
前記予め生成され貯湯槽に貯湯された湯は、夜間電力を用いた加熱により生成された湯である
ことを特徴とする浴槽湯保温システム。
【発明の詳細な説明】
【技術分野】
【０００１】
本発明は、浴槽湯温制御技術に関し、特に、浴槽に対応して再加熱用の熱交換器又は電熱器等の熱源を持つことなく浴槽湯を制御する浴槽湯温制御装置、給湯器および浴槽湯保温システムに関する。
【背景技術】
【０００２】
図６は、第１の従来技術に係る浴槽湯保温システムを示す図である。図６において、１は貯湯槽、２は浴槽、３は貯湯槽１の給湯湯温を検知する給湯湯温検知手段、４は浴槽２の湯温を検知する浴槽湯温検知手段、５は浴槽２の湯量を検知する浴槽湯量検知手段、１０は貯湯槽１から給湯する湯の流量を検出する流量センサ、１２は電磁弁又は電動弁、１３は貯湯槽１と電磁弁又は電動弁１２と流量センサ１０とを接続して浴槽２への給湯に用いられる管路、２０は浴槽湯の再加熱を行うための熱交換器および管路である。
【０００３】
図６に示す構成を採る従来の浴槽湯保温システムにおいて、浴槽湯温検知手段４が検知した浴槽湯温が目標値を下回った場合、貯湯槽１に貯湯した温水から熱交換器および管路２０を介して熱交換し、浴槽湯を再加熱することで浴槽２の湯温を目標値に保つようにする。
【０００４】
図７は、第２の従来技術に係る浴槽湯保温システムを示す図である。図７において、図中の１、２、３、４、５、１０、１２、１３は図６に対応し、２１は保温用電熱器、２２は管路である。図７に示す構成を採る従来の浴槽湯保温システムにおいては、浴槽湯温検知手段４が検知した浴槽湯温が目標値を下回った場合、管路２２を通って循環する浴槽湯を、保温用電熱器２１を利用して再加熱することで、浴槽２の湯温を目標値に保つようにする。
【０００５】
より具体的な従来技術としては、例えば、下記の特許文献１に記載された技術がある。特許文献１には、給湯用熱交換器によって加熱された湯を循環追炊き管路を介して浴槽中に湯張りし、その湯張り量が設定値に達すると湯張り動作を自動停止させるとともに、浴槽中の湯を追炊用熱交換器によって設定温度まで循環追炊きしうるように構成し、かつ浴槽への湯張り温度と、他の給湯栓からの給湯温度とを、それぞれ個別にリモコンに設定し得るようにした給湯器付自動風呂装置の給湯温度を制御する技術について記載されている。
【特許文献１】特開平７−１６７４９１号公報
【発明の開示】
【発明が解決しようとする課題】
【０００６】
しかし、上記従来技術は、浴槽に対応して熱交換器又は保温用電熱器等の設備を必要とするため、設備費用が増加するという問題があった。また、場合によっては熱交換器の障害により、貯湯と浴槽湯が非所望に混合するなどの弊害が生じるおそれがあった。また、再加熱に伴うエネルギー効率低下が課題となっていた。
【０００７】
更に、図７に示した保温用電熱器による再加熱方式を用いる従来の浴槽湯保温システムでは、夜間の安い電力を利用できず、運転費用がかさむ等の問題があった。
【０００８】
本発明は、上記従来技術の問題点を解決し、再加熱用の熱交換器又は電熱器等の熱源を浴槽に対応して持つことなく浴槽湯を目標湯温に保つことが可能な浴槽湯温制御装置、給湯器および浴槽湯保温システムの提供を目的とする。
【課題を解決するための手段】
【０００９】
上記課題を解決するため、本発明は、浴槽の湯温を制御する浴槽湯温制御装置であって、前記浴槽の湯温を検知する浴槽湯温検知手段と、前記浴槽の湯量を検知する浴槽湯量検知手段と、予め生成された湯が貯湯された貯湯槽から前記浴槽内へ給湯される湯温を検知する給湯湯温検知手段と、前記検知された浴槽湯温の情報と浴槽湯量の情報と給湯湯温の情報とに基づいて、浴槽湯温を目標値にするために前記浴槽に給湯する湯量を計算する給湯湯量計算手段と、前記浴槽から前記計算された湯量の湯を廃棄する廃棄手段と、前記貯湯槽から前記浴槽内へ前記計算された湯量の湯を給湯する給湯手段とを備えることを特徴とする。
【００１０】
また、本発明は、前記浴槽湯温制御装置であって、前記予め生成され貯湯槽に貯湯された湯は、夜間電力を用いた加熱により生成された湯であることを特徴とする。
【００１１】
また、本発明は、浴槽内に給湯する給湯器であって、前記浴槽湯温制御装置を備える給湯器である。
【００１２】
また、本発明は、１または複数個の浴槽の湯温を制御して目標値に保つ浴槽湯保温システムであって、予め生成された湯が貯湯される貯湯槽と、前記１または複数個の浴槽の湯温を検知する浴槽湯温検知手段と、前記１または複数個の浴槽の湯量を検知する浴槽湯量検知手段と、前記貯湯槽から前記１または複数個の浴槽内へ給湯される湯温を検知する給湯湯温検知手段と、前記検知された浴槽湯温の情報と浴槽湯量の情報と給湯湯温の情報とに基づいて、前記１または複数個の浴槽の湯温を目標値にするために前記１または複数個の浴槽に給湯する湯量を計算する給湯湯量計算手段と、前記１または複数個の浴槽から前記計算された湯量の湯を廃棄する廃棄手段と、前記貯湯槽から前記１または複数個の浴槽内へ前記計算された湯量の湯を給湯する給湯手段とを備え、前記廃棄された湯を貯湯することを特徴とする。
【００１３】
また、本発明は、前記浴槽湯保温システムであって、前記予め生成され貯湯槽に貯湯された湯は、夜間電力を用いた加熱により生成された湯であることを特徴とする。
【発明の効果】
【００１４】
本発明によれば、再加熱用の熱交換器又は電熱器等の熱源を浴槽に対応して持つことなく浴槽湯を目標湯温に保つことが可能となる。また、本発明によれば、例えば夜間の安い電力を利用することができるため、運転費用を抑えることが可能となる。
【００１５】
また、本発明によれば、浴槽湯を目標湯温に保つために浴槽から廃棄および給湯する湯量を、エネルギー効率を考慮した所定の計算式を用いて算出することから、浴槽湯を目標湯温に保つ際のエネルギー効率を最適化することが可能となる。
【発明を実施するための最良の形態】
【００１６】
以下、本発明の実施例について、図面を参照しながら説明する。図１は、本発明の浴槽湯保温システムの構成例を示す図である。図１において、１は貯湯槽、２は浴槽、３は給湯湯温検知手段、４は浴槽湯温検知手段、５は浴槽湯量検知手段、６は給湯湯量計算手段、７は廃棄手段、８は給湯手段、２３は廃棄手段７によって廃棄された湯を貯湯する貯湯手段である。
【００１７】
貯湯槽１には、例えば深夜電力等を利用して予め温水を生成して貯湯しておく。給湯湯温検知手段３は、貯湯槽１の給湯湯温を検知する。浴槽湯温検知手段４は、浴槽２の湯温を検知する。
【００１８】
浴槽湯量検知手段５は、浴槽２の湯量を検知する。給湯湯量計算手段６は、給湯湯温検知手段３により検知された貯湯槽１の給湯湯温の情報と浴槽湯温検知手段４により検知された浴槽２の湯温の情報と浴槽湯量検知手段５により検知された浴槽２の湯量の情報とを基に、目標とする浴槽湯温にするために貯湯槽１から浴槽２に給湯する湯量を計算する。
【００１９】
また、廃棄手段７が、給湯湯量計算手段６により算出された量の湯を浴槽２から湯を廃棄し、給湯手段８が、給湯湯量計算手段６により算出された量の湯を貯湯槽１から浴槽２へ給湯する。
【００２０】
廃棄及び給湯する湯量の計算は、湯を廃棄する前の浴槽２内の湯量は一定であることを前提として、貯湯槽１の給湯湯温検知手段３と浴槽２の浴槽湯温検知手段４と浴槽２の浴槽湯量検知手段５から取り込んだ情報に基づき、以下の計算式により計算することができる。
【００２１】
Ｑ＝Ｑy （Ｔ1 −Ｔ2 ）／（Ｔ3 −Ｔ2 ）    （式１）
上記（式１）において、Ｑは廃棄および供給する湯量、Ｑy は浴槽湯量、Ｔ1 は目標とする浴槽湯温、Ｔ2 は現在の浴槽湯温、Ｔ3 は貯湯槽１からの給湯湯温である。
【００２２】
本発明は、廃棄及び給湯する湯量を上記（式１）に示す計算式を用いて算出し、算出した湯量の値に基づいて浴槽湯温を制御するため、浴槽湯温を目標値に保つ際のエネルギー効率を最適化することができる。
【００２３】
廃棄手段７は、図２の点線部に示すように、流量センサ１４と電磁弁又は電動弁１６と流量センサ１４からの情報を取り込んで流量を計算し電磁弁又は電動弁１６に開閉信号を出力する計算手段１５と、浴槽２と電磁弁又は電動弁１６と流量センサ１４とを接続する管路１７で構成することができる。
【００２４】
給湯手段８は、図３の点線部に示すように、流量センサ１０と、電磁弁又は電動弁１２と、流量センサ１０からの情報を取り込んで流量を計算し、電磁弁又は電動弁１２に開閉信号を出力する計算手段１１と、貯湯槽１と電磁弁又は電動弁１２と流量センサ１０とを接続し、浴槽２への給湯に用いられる管路１３とで構成することができる。
【００２５】
本発明に係る浴槽湯保温システムにおいては、廃棄手段７によって浴槽２から廃棄された湯を貯湯手段２３によって貯湯し、貯湯した湯を例えばコージェネレーションに利用することができる。例えば、貯湯した湯を、ビル、ホテル、病院、各種レジャー施設における暖房などに利用することができる。
【００２６】
本発明は、上記浴槽湯温検知手段４、浴槽湯量検知手段５、給湯湯温検知手段３、給湯湯量計算手段６、廃棄手段７、給湯手段８を備える給湯湯温制御装置として構成することもできる。
【００２７】
また、本発明は、上記浴槽湯温検知手段４、浴槽湯量検知手段５、給湯湯温検知手段３、給湯湯量計算手段６、廃棄手段７、給湯手段８からなる給湯湯温制御装置を備える給湯器として構成することもできる。
【００２８】
図４は、本発明の浴槽湯保温システムの動作処理フローの一例を示す図である。まず、浴槽湯温検知手段４が、浴槽２の湯温を検知し（ステップＳ１）、浴槽湯量検知手段５が、浴槽２の湯量を検知する（ステップＳ２）。給湯湯温検知手段３が、貯湯槽１の給湯湯温を検知する（ステップＳ３）。
【００２９】
次に、給湯湯量計算手段６が、検知された浴槽２の湯温の情報と浴槽２の湯量の情報と貯湯槽１の給湯湯温の情報とに基づいて、目標とする浴槽湯温にするために浴槽２に給湯する湯量を算出する（ステップＳ４）。具体的には、前述した（式１）を用いて、浴槽２に給湯する湯量を算出する。
【００３０】
そして、廃棄手段７が、算出された量の湯を浴槽２から廃棄し（ステップＳ５）、給湯手段８が、算出された量の湯を貯湯槽１から浴槽２へ給湯する（ステップＳ６）。
【００３１】
なお、上述したように、廃棄手段７によって浴槽２から廃棄された湯を貯湯手段２３によって貯湯し、貯湯した湯を例えばコージェネレーションに利用することができる。
【００３２】
また、本発明に係る浴槽湯保温システムは、図５に示すように、複数の浴槽２に給湯する構成を採ることもできる。図５に示す構成を採る本発明の浴槽湯保温システムは、廃棄手段７によって複数の浴槽２から廃棄された湯を貯湯手段２３によって貯湯し、貯湯した湯を、ビル、ホテル、病院、各種レジャー施設における暖房などに利用することができる。
【図面の簡単な説明】
【００３３】
【図１】本発明の浴槽湯保温システムの構成例を示す図である。
【図２】本発明の浴槽湯保温システムの詳細図である。
【図３】本発明の浴槽湯保温システムの詳細図である。
【図４】本発明の浴槽湯保温システムの動作処理フローの一例を示す図である。
【図５】本発明の浴槽湯保温システムの構成例を示す図である。
【図６】第１の従来技術に係る浴槽湯保温システムを示す図である。
【図７】第２の従来技術に係る浴槽湯保温システムを示す図である。
【符号の説明】
【００３４】
１  貯湯槽
２  浴槽
３  給湯湯温検知手段
４  浴槽湯温検知手段
５  浴槽湯量検知手段
６  給湯湯量計算手段
７  廃棄手段
８  給湯手段
１０、１４  流量センサ
１１、１５  計算手段
１２、１６  電磁弁又は電動弁
１３、１７  管路
２０  熱交換器および管路
２１  保温用電熱器
２２  管路
２３  貯湯手段
【図１】
2005164167.tif 000003
【図２】
2005164167.tif 000004
【図３】
2005164167.tif 000005
【図４】
2005164167.tif 000006
【図５】
2005164167.tif 000007
【図６】
2005164167.tif 000008
【図７】
2005164167.tif 000009